(57)【特許請求の範囲】
【請求項１】
床に開設された矩形状の開口部に取付けられる扉枠と、該扉枠に支持される扉体と、底板とを少なくとも備えており、
前記扉枠は、前記開口部の一方の対向する辺に、それぞれ固着される一対の固定枠材と、
前記扉体を開閉自在に支持する支持部がそれぞれに設けられた一対の係合枠材とを有し、前記一対の固定枠材及び前記一対の係合枠材のそれぞれの両端部には、前記開口部に固着された前記一対の固定枠材に対して前記一対の係合枠材が上方から挿し入れられて互いに係合する係合段部が形成されており、互いの係合段部がそれぞれ係合してこれら一対の係合枠材が係止保持されて前記開口部の他方の対向する辺にそれぞれ取り付けられる構成とされ、
前記一対の固定枠材及び前記一対の係合枠材のそれぞれの下端部には、前記一対の固定枠材及び前記一対の係合枠材の係合段部が互いに係合した状態で、互いに隣接する両端部が互いに当接し、かつそれぞれの上面が同高さとなる係止部が設けられており、前記底板が、これら係止部に係止保持されることを特徴とする床下収納ユニット。
【請求項２】
請求項１において、
前記固定枠材は、前記開口部の開口縁下方に設けられた支持桟の内側面に固着される構成とされており、
前記固定枠材及び前記係合枠材のそれぞれは、前記開口部に取付けられた際には、それらの上端面が該開口部の開口上端縁よりも下方位置となるように取付けられる構成としている床下収納ユニット。
【発明の詳細な説明】
【技術分野】
【０００１】
本発明は、床下収納ユニットに関し、詳しくは、床に開設された矩形状の開口部に取付けられる扉枠と、該扉枠に支持される扉体とを少なくとも備えた床下収納ユニットに関するものである。
【背景技術】
【０００２】
前記のような床下収納ユニットとしては、例えば、住宅等のキッチンや洗面所、リビング、和洋室などの床に開口を設け、床下を収納スペースとして利用するための床下収納庫を、該開口内に配設したものが多数、提案されている。
このような従来の床下収納庫は、床に開設された開口部の開口縁に、アルミ製等の枠材からなる蓋枠（扉枠）を係止させて、該蓋枠に収納庫を連設する、あるいは、着脱自在に係止させるとともに、蓋体（扉体）を開閉自在に支持させるようにしている。
このような蓋枠は、矩形枠状に形成され、上端に設けられた鍔状の係止部を、開口縁に係止させて、開口部に取付けられる。
例えば、下記特許文献１では、上記のような蓋枠（入口枠４）を採用した床下収納庫の蓋体の自立構造に関する発明が提案されている。
【特許文献１】特開平５−３３４７３号公報（図１参照）
【発明の開示】
【発明が解決しようとする課題】
【０００３】
上記のような蓋枠は、通常、一体的に矩形枠状に形成されたものが多く、施工現場にて、蓋枠の形状に合わせて床に開口を形成し、その形成された開口部に対して取付けられるのが一般的である。
キッチンや洗面所等に設けられることが多い比較的小型の床下収納庫では、その蓋枠も小型であるため、施工時等において、その取り扱いが困難となることは多くはないが、保管時や運搬時等には、嵩だかとなるという問題があった。
また、特に、近年、大容量の収納スペース、例えば、開口が畳１枚分程度で容量が３００リットル超の床下収納庫も提案されている。このような大容量の収納庫では、蓋枠も大型となり、保管時や運搬時だけでなく、施工時にも、その取り扱いが容易ではないという問題があった。
さらに、このような大容量の収納庫は、大型であるため施工現場での組立が容易ではなく、収納箱と該収納箱の上端部に取付けられた蓋枠とを、工場等で予め組み立てて、施工現場へ搬送することが多い。このような場合は、工場等での保管スペースや運搬時の運搬スペースを多く必要とし、また、組み立てられて大型となるため、その取り扱いがより困難なものとなるという問題があった。
【０００４】
本発明は、前記問題を解決するために提案されたもので、その目的は、取り扱いが容易な扉枠を備えた施工性の良い床下収納ユニットを提供することにある。
【課題を解決するための手段】
【０００５】
前記目的を達成するために、本発明に係る請求項１に記載の床下収納ユニットは、床に開設された矩形状の開口部に取付けられる扉枠と、該扉枠に支持される扉体と、底板とを少なくとも備えており、前記扉枠は、前記開口部の一方の対向する辺に、それぞれ固着される一対の固定枠材と、前記扉体を開閉自在に支持する支持部がそれぞれに設けられた一対の係合枠材とを有し、前記一対の固定枠材及び前記一対の係合枠材のそれぞれの両端部には、前記開口部に固着された前記一対の固定枠材に対して前記一対の係合枠材が上方から挿し入れられて互いに係合する係合段部が形成されており、互いの係合段部がそれぞれ係合してこれら一対の係合枠材が係止保持されて前記開口部の他方の対向する辺にそれぞれ取り付けられる構成とされ、前記一対の固定枠材及び前記一対の係合枠材のそれぞれの下端部には、前記一対の固定枠材及び前記一対の係合枠材の係合段部が互いに係合した状態で、互いに隣接する両端部が互いに当接し、かつそれぞれの上面が同高さとなる係止部が設けられており、前記底板が、これら係止部に係止保持されることを特徴とする。
【０００６】
請求項２では、請求項１において、前記固定枠材は、前記開口部の開口縁下方に設けられた支持桟の内側面に固着される構成とされており、前記固定枠材及び前記係合枠材のそれぞれは、前記開口部に取付けられた際には、それらの上端面が該開口部の開口上端縁よりも下方位置となるように取付けられる構成としている。
【発明の効果】
【０００８】
請求項１乃至２に記載の床下収納ユニットによれば、床に開設された開口部に取付けられる扉枠を、該開口部の一方の対向する辺に、それぞれ固着される一対の固定枠材と、該開口部の他方の対向する辺に、前記固定枠材と係合することによって、それぞれ取付けられ、前記扉体を開閉自在に支持する支持部を設けた一対の係合枠材とを有した構成としているので、扉枠の取り扱いが容易である。すなわち、扉枠が複数の部材で構成されるため、保管時や運搬時、施工時において、取り扱いが容易である。
また、前記係合枠材は、前記固定枠材と係合することによって、取付けられるので、施工が容易となる。
また、底板を更に備え、前記固定枠材及び前記係合枠材のそれぞれの下端部に係止部を更に形成して、該係止部に前記底板を係止させる構成としているので、固定枠材と係合枠材と底板とで、収納空間を形成できる。また、例えば、固定枠材及び係合枠材の高さ方向への長さを長くすることで、収納空間を広くとることもできる。
さらに、収納空間を形成するそれぞれの部材が、複数の部材で構成されているので、その取り扱いが容易である。例えば、前記したような従来の大容量の収納庫は、大型であるため施工現場での組立が容易ではなく、収納箱と該収納箱の上端部に取付けられた蓋枠とを、工場等で予め組み立てて、施工現場へ搬送することが多い。このような場合は、工場等での保管スペースや運搬時の運搬スペースを多く必要とし、また、組み立てられて大型となるため、その取り扱いがより困難なものとなるという問題があった。
これに対して、本発明によれば、床下収納ユニットを、複数の部材で構成し、容易に施工現場で組付けられるようにしているため、保管時や運搬時、施工時の取り扱いが容易であるとともに、保管スペースや運搬スペースの省スペース化が図れる。
【０００９】
また、前記固定枠材及び前記係合枠材のそれぞれ両端部に、互いに係合する係合段部を形成し、前記開口部に固着された前記固定枠材に対して、上方から前記係合枠材を挿し入れることによって、互いの係合段部がそれぞれ係合して該係合枠材が係止保持される構成としているので、より施工性が良い。
【００１０】
請求項２では、前記固定枠材は、前記開口部の開口縁下方に設けられた支持桟の内側面に固着される構成とされており、前記固定枠材及び前記係合枠材のそれぞれは、前記開口部に取付けられた際には、それらの上端面が該開口部の開口上端縁よりも下方位置となるように取付けられる構成としている。従って、前記した従来のような蓋体の上端部に鍔状係止部を備えて開口縁に係止させるものでは、その鍔状係止部の一部が床面に露出したり、床面との間に段差が生じたりする恐れがあるが、本発明によれば、このようなことが防止できる。すなわち、扉枠を構成する固定枠材を、支持桟の内側面に固着させて、固定枠材及び係合枠材のそれぞれの上端面が、開口部の開口上端縁よりも下方位置となるように取付けられるので、扉枠が床表面に露出することがない。
【発明を実施するための最良の形態】
【００１３】
以下に、本発明の最良の実施の形態について、図面を参照しながら説明する。
図１は、第１実施形態に係る床下収納ユニットが床に取付けられた状態を示す概略斜視図、図２は、同実施形態に係る床下収納ユニットの一部分解概略斜視図、図３は、同実施形態に係る床下収納ユニットの一部分解概略平面図、図４は、同実施形態に係る床下収納ユニットの取付構造を説明するための床に開設された開口部の概略斜視図、図５は、同実施形態に係る床下収納ユニットが床に取付けられた状態を示す概略断面図である。
【００１４】
図例の床下収納ユニットＡは、大略的に、床１に開設された開口部４（図４参照）に取付けられた扉枠１０、扉枠１０の下方に係止された底板４０、扉枠１０に開閉自在に支持された扉体２０、扉枠１０と扉体２０とを連結する連結部３０を備えている。
尚、図１において、符号３ａは、後記する畳３の縁（へり）である。
扉枠１０は、図２及び図３に示すように、一対の固定枠材１１，１１と、一対の係合枠材１５，１５とを備えている。
固定枠材１１及び係合枠材１５は、それぞれ板状部材で構成され、それぞれの厚みが略同厚さとされ、それぞれの高さが略同高さとされている。
【００１５】
固定枠材１１は、正面視略凸字状に形成されている。すなわち、その両端側部の下部側が、外方へ向けて延出することで、肩部１４が形成されている。この肩部１４が、後記する係合枠材１５と係合するための固定枠材１１の係合段部を構成する。
肩部１４は、係合枠材１５の厚み分延出して、その上面である係合段部上面１２の延出幅が係合枠材１５の厚みと同じ幅となるようにしている。また、係合段部上面１２には、ダボ１２ａが突設されている。
固定枠材１１の下端部には、内方（開口部４に取付けられた状態での内方、すなわち、対向する他方の固定枠材の方向を指す。）へ向けて突出した角柱状の固定枠材側係止部１３が形成されている。この固定枠材側係止部１３は、固定枠材１１の長手方向に沿って形成されている。また、固定枠材側係止部１３は、固定枠材１１の長手方向の全長に亙って形成されておらず、長手方向中央部よりにのみ設けられている。
また、固定枠材１１の上方よりの適所には、後記する雄ネジ９が挿通されるネジ挿通孔１１ｂが穿設されている。
【００１６】
係合枠材１５は、正面視略Ｔ字状に形成されている。すなわち、その両端側部の上部側が、外方へ向けて延出することで、耳部１８が形成されている。この耳部１８が、固定枠材１１の肩部１４と係合する係合枠材１５の係合段部を構成する。
この耳部１８は、上記した固定枠材１１の厚み分延出して、その下面である係合段部下面１６の延出幅が固定枠材１１の厚みと同じ幅となるようにしている。また、係合段部下面１６には、上記ダボ１２ａが挿入されるダボ穴１６ａが形成されている。
係合枠材１５の下端部には、内方（開口部４に取付けられた状態での内方、すなわち、対向する他方の係合枠材の方向を指す。）へ向けて突出した角柱状の係合枠材側係止部１７が形成されている。この係合枠材側係止部１７は、係合枠材１５の長手方向に沿って形成されている。また、係合枠材側係止部１７は、係合枠材１５の長手方向の全長に亙って形成されておらず、長手方向中央部よりにのみ設けられている。
尚、図２において符号３１（図３では不図示）は、支持部を構成し、後記する連結部３０が備える連結機構収容カバーである。
【００１７】
固定枠材側係止部１３及び係合枠材側係止部１７の各枠材１１，１５の長手方向に沿う長さ、及び内方へ向けての突出量は、固定枠材１１に対して係合枠材１５が後記するように上方から挿し入れられて係合した際に、互いに隣接する各係止部１３，１７の両端部が互いに当接するような構成とされている。また、固定枠材１１と、係合枠材１５とが係合した際に、各係止部１３，１７のそれぞれ上面が水平面域方向で同高さとなるよう構成されている。
すなわち、固定枠材１１と係合枠材１５とが係合した際に、各係止部１３，１７は、各枠材１１，１５の下端部で、後記する底板４０を係止するための矩形状の係止枠となる。
また、固定枠材１１と係合枠材１５とは、互いに係合した際には、上下に開放した中空の略四角筒状体となる。
底板４０は、板状体で構成され、各枠材１１，１５が係合して形成される前記略四角筒状体に挿入可能かつ各係止部１３，１７に係止保持される大きさに形成されている。
この底板４０が、各係止部１３，１７に係止されて、収納空間ＳＳ１が形成される。
【００１８】
尚、扉枠１０、後記する扉板２１、底板４０に適用される材料としては、集成材、合板、パーティクルボード、木質繊維板等や、これらを組合せたものに、化粧板として突板を貼着したもの、あるいは天然無垢の木材等のいわゆる木質系材料としてもよい。あるいは、プラスチック、ＦＲＰ等の樹脂材料や、ステンレス、アルミニウム等の金属材料としてもよい。
また、各係止部１３，１７のそれぞれは、本実施形態では、各枠材１１，１５の長手方向に沿って連続した角柱状に突設されているが、連続したものとせず、適所に係止片として突設させる構成としてもよい。
さらに、底板４０の各係止部１３，１７へのかかり代は、底板４０の強度、及び収納空間ＳＳ１の容量等に応じて、適宜、設計することが好ましい。
さらにまた、底板４０の外周縁部裏面に、凸条を形成し、前記各係止部１３，１７の上面に、その凸条に係合する凹溝を形成して、底板４０を係止させるようにしてもよい。あるいは、底板４０をネジや釘、接着剤等で、各係止部１３，１７へ固着させる構成としてもよい。
【００１９】
扉体２０は、板状体で構成された扉板２１と、その扉板２１の上面側（室内空間側）に固着された一枚分の畳３とで構成されている。
扉板２１は、前記のように形成された収納空間ＳＳ１を閉塞する蓋を構成し、後記する連結部３０で係合枠材１５と連結されている。
扉板２１の下面側（収納空間ＳＳ１側）には、連結部３０の取付プレート３２が固着されている。
扉板２１の大きさは、固定枠材１１と係合枠材１５とが互いに係合して前記略四角筒状体とされた、その略四角筒状体の内周に合わせて形成されている。換言すれば、扉板２１の外周は、畳３の外周よりも各枠材１１，１５の厚み分だけ、小さく形成されている。
【００２０】
連結部３０は、扉枠１０と扉体２０を構成する扉板２１とを連結する連結手段を構成し、本実施形態では、ガススプリング３３、リンクアーム３４，３５、取付プレート３２、連結機構収容カバー３１を備えている。
ガススプリング３３、リンクアーム３４，３５のそれぞれ両端は、取付プレート３２及び連結機構収容カバー３１に連結され、揺動自在に支持されている。
連結機構収容カバー３１は、係合枠材１５の内側面上方よりに固着され、扉体２０が閉塞された状態では、ガススプリング３３、リンクアーム３４，３５を収容するとともに、扉体２０を開閉自在に支持する支持部を構成する。
このような扉枠１０と扉体２０とを連結する機構は、例えば、特開平１１−６２３５７号公報、特開２００２−２２０９６７号公報に開示がある連結機構を適用してもよく、ここでの詳述は省略する。
また、連結部３０の構成は、少なくとも扉枠１０（係合枠材１５）と、扉体２０とを連結し、扉体２０を開閉自在に支持可能なものであればどのようなものでもよく、扉体２０を回動自在に支持、あるいは、スライド自在に支持する構成としてもよい。
【００２１】
次に、前記構成とされた、扉枠１０が取付けられる開口部４の一構成例を図４に基づいて説明する。尚、図４では、図１で図示されている畳３（後記する第２実施形態では、フローリングパネル３Ａに相当する。）が床１から除去された状態を図示している。
開口部４は、床板２を切除して矩形状に形成されており、その大きさは、畳３の一枚分に相当する大きさとされている。また、畳３が床板２に敷設された状態では、畳３と床板２とで床１を構成し、その場合は、床１に開設された開口部４とは、床板２を切除して形成された空間と、畳３の一枚分が除去された空間とが連通した部位を指す。
床板２は、その下方から根太６、支持桟を構成する大引５、束７、束石８で支持されている。
【００２２】
本実施形態では、離間した二本の大引５の開口側内側面５ａのそれぞれが床板２の開口側内側面２ａとともに開口部４の内周面を形成するような位置に、床板２を切除して開口部４を形成している。また、床板２の下方に配設された根太６のうち一対の根太６の開口側内側面６ａのそれぞれが床板２の開口側内側面２ａとともに開口部４の内周面を形成するような位置に、床板２を切除して開口部４を形成している。尚、大引５の上方に載置された根太６のうち開口部４に相当する箇所にあった根太は、切除されている。
大引５の開口側内側面５ａの適所には、前記した固定枠材１１を固着させる際に、雄ネジ９（図５参照）と螺合する雌ネジ部５ｂが形成されている。
開口部４の一方の対向する固定枠材用辺４ａ，４ａには、前記した一対の固定枠材１１，１１が、それぞれ固着され、他方の対向する係合枠材用辺４ｂ，４ｂには、前記した一対の係合枠材１５，１５が固定枠材１１，１１とそれぞれ係合することによって、取付けられる。
【００２３】
より具体的には、まず、固定枠材１１，１１を、その上端面１１ａが、床板２の表面と同高さとなるように配置して、雄ネジ９を雌ネジ部５ｂに螺入して、大引５の開口側内側面５ａに固着させる（図５参照）。すなわち、畳３が床板２の上面に敷設された状態では、開口部４の開口上端縁４ｃよりも上端面１１ａが下方位置となるように固着される（図５参照）。
尚、固定枠材１１の固着は、予めネジ挿通孔１１ｂ、雌ネジ部５ｂを形成せず、木ネジを螺入、あるいは、釘等によって固着してもよい。または、接着剤等により固着させてもよい。
【００２４】
次いで、係合枠材１５，１５のそれぞれを、開口部４に固着された固定枠材１１，１１に対して上方から挿し入れる。これにより、上記した各係合段部を構成する肩部１４と耳部１８とが係合して、係合枠材１５，１５が係止保持される。
このように、係合枠材１５，１５が、開口部４に固着された固定枠材１１，１１と係合した状態では、係合枠材１５，１５のそれぞれは、以下のように規制されて係止保持される（以下、図２及び図３参照）。
すなわち、係合枠材１５の外側面上方部位１５ｂは、床板２の開口側内側面２ａ及び根太６の開口側内側面６ａに規制される。また、両端部に形成された耳部１８の開口側内側面１８ａは、固定枠材１１の上部側端面１１ｃに規制される。さらに、耳部１８の左右端面１８ｂは、床板２の開口側内側面２ａ及び大引５の開口側内側面５ａに規制され、下部側端面１５ｃは、固定枠材１１の肩部１４の開口側内側面１４ａに規制される。
【００２５】
上記のように、係合枠材１５，１５のそれぞれは、固定枠材１１，１１と係合した状態では、固定枠材１１，１１と、開口部４の内周面を構成する床板２の開口側内側面２ａ、根太６の開口側内側面６ａ及び大引５の開口側内側面５ａとに規制されて、確実に係止保持される。
尚、係合枠材１５，１５を上記したように係止させ、さらに、ネジや釘等により根太６の開口側内側面６ａあるいは固定枠材１１，１１に固着させるようにしてもよい。
また、係合段部を構成する肩部１４の係合段部上面１２にダボ１２ａを突設させ、耳部１８の係合段部下面１６にダボ１２ａが挿入されるダボ穴１６ａを形成しているが、これらダボ１２ａ、ダボ穴１６ａを形成しないものとしてもよい。あるいは、ダボとダボ穴に換えて、係合段部上面１２、係合段部下面１６のそれぞれにピン穴を形成し、ピンを挿入するようにしてもよい。
【００２６】
上記のように、扉枠１０を構成する固定枠材１１、係合枠材１５のそれぞれを開口部４に対して取付けた後に、底板４０を挿入して、前記した各係止部１３，１７に係止させる。
また、連結部３０、扉体２０をそれぞれ取付けて、図５に示すように、床下収納ユニットＡが形成される。
尚、係合枠材１５に連結部３０、扉体２０をそれぞれ組み付けた状態で、固定枠材１１，１１に対して係合させる構成としてもよい。
【００２７】
上記のように形成された床下収納ユニットＡでは、畳３を含む扉体２０は、連結部３０によって、回動可能に開閉され、図５では、開状態を図示しているが、閉状態では、畳３の下方に位置する扉板２１が各枠材１１，１５で形成された略四角筒状の上端部位に収容され、その扉板２１の外周に露出する畳３の下面が、各枠材１１，１５のそれぞれ上端面１１ａ，１５ａに当接する。すなわち、閉状態では、床板２に敷設された他の畳３と、扉体２０を構成する畳３との表面が略面一となる。
【００２８】
以上のように、本実施形態に係る床下収納ユニットＡによれば、扉体２０を開閉自在に支持する扉枠１０を、開口部４の一方の対向する辺４ａに、それぞれ固着される一対の固定枠材１１と、開口部４の他方の対向する辺４ｂに、それぞれ取付けられる一対の係合枠材１５とを有した構成としているので、扉枠１０の取り扱いが容易である。すなわち、扉枠１０が複数の部材で構成されるため、保管時や運搬時、施工時において、取り扱いが容易である。
【００２９】
特に、係合枠材１５の開口部４への取付けが、固定枠材１１に対して上方から挿し入れ、互いに係合させることでなされるため、施工性が良く、施工現場で容易に扉枠１０の組み付けが可能となる。
また、扉枠１０の各係止部１３，１７に、底板４０を係止させて、収納空間ＳＳ１を形成するようにしているので、取り扱いが容易であるとともに、施工現場で容易に床下収納ユニットＡの組み付けができる。
これにより、従来の大容量の収納庫のように、工場等で予め扉枠と収納箱とを組み付ける必要がなく、よって、保管スペースや運搬スペースの省スペース化が図れる。
さらに、各枠材１１，１５の高さの調整により、収納スペースを増減させることもできる。
【００３０】
尚、各枠材１１，１５、底板４０、扉体２０（あるいは畳３、扉板２１）のそれぞれの当接部位に、気密状態とするためのシール部材を配設するようにしてもよい。
また、各枠材１１，１５、底板４０、扉板２１のそれぞれを、断熱性部材で構成するようにしてもよい。
さらに、本実施形態では、畳３の形状に合わせて、開口部４の形状が平面視長方形状とされたものを例示しているが、これに限られず、矩形状であればどのようなものでもよい。また、開口部４の大きさも一枚分の畳３の大きさとしているが、これよりも大きい開口部、あるいは、これよりも小さい開口部にも本実施形態の床下収納ユニットＡの取付けが可能である。このような場合は、床下収納ユニットＡの各部材の大きさを開口部の大きさに合わせて形成すればよい。
さらにまた、開口部４が平面視で長方形状の場合は、本実施形態のように、固定枠材１１を、その長辺側に固着させ、係合枠材１５を、その短辺側に取付ける態様とすることが好ましい。
【００３１】
また、本実施形態では、固定枠材１１及び係合枠材１５の厚みをそれぞれ、略同厚さとしているが、異なる厚さとしてもよい。この場合には、各係合段部を構成する肩部１４、耳部１８の態様も適宜、変形することが好ましい。
さらに、本実施形態では、大引５の開口側内側面５ａに対して固定枠材１１を固着させる構成としているが、補強桟等を別途、開口縁下方に取付けて、その補強桟に対して固定枠材１１を固着させるようにしてもよい。
さらにまた、本実施形態では、床下収納ユニットＡの取付け箇所として、地盤面（土間）との間に形成された床下スペースを利用する構成を例示しているが、これに限らず、階上の床下（天井裏）スペースを利用する構成にも適用が可能である。
また、本実施形態では、固定枠材１１及び係合枠材１５のそれぞれは、それらの両端部に、互いに係合する係合段部１４，１８を形成して、係合させる態様について、例示しているが、これに限られず、例えば、互いに係合する凹凸部を形成して、係合させるようにしてもよい。
【００３２】
次に、本発明に係る他の実施の形態について、図面を参照しながら説明する。
図６は、第２実施形態に係る床下収納ユニットの一部分解概略斜視図、図７は、同実施形態に係る床下収納ユニットが床に取付けられた状態を示す概略断面図である。
尚、第１実施形態との相違点を中心に説明し、第１実施形態と同様の構成については、同一符号を付し、説明を省略する。
【００３３】
本実施形態に係る床下収納ユニットＢは、前記第１実施形態の床下収納ユニットＡが備える底板４０に換えて、上方に開口する収納箱体４１を備えている。
収納箱体４１は、有底の箱部４３と、その箱部４３の上端周縁から外方へ向けて突出した上端鍔部４２とを有している。
箱部４３の外側面の外周は、前記第１実施形態で説明した各係止部１３，１７によって形成される矩形状係止枠に対して挿入可能な構成とされ、また、上端鍔部４２の外周は、各枠材１１Ａ，１５Ａが係合して形成される前記略四角筒状体に挿入可能かつ各係止部１３，１７に係止保持される大きさに形成されている。
【００３４】
扉枠１０Ａを構成する固定枠材１１Ａ及び係合枠材１５Ａのそれぞれは、前記第１実施形態の扉枠１０と同様、下端部に各係止部１３，１７を備え、この各係止部１３，１７に、収納箱体４１の上端鍔部４２を係止させることで、扉枠１０Ａに、収納箱体４１が係止されて、収納空間ＳＳ２が形成される。
このものでも、各枠材１１Ａ，１５Ａの高さ、箱部４３の深さのうち少なくともいずれか一方を調整することで、収納スペースの増減ができる。
【００３５】
また、本実施形態では、床１Ａは、前記第１実施形態の畳３に換えて、フローリングパネル３Ａと、床板２とで構成されている。また、扉体２０Ａは、扉板２１と、開口部４に合わせて形成されたフローリングパネル３Ａとで構成されている。
このような表面がフローリングとされた床に開設された開口部に、蓋枠の鍔状係止部を開口部の開口縁に係止させて、該蓋枠を開口部に取付ける構成とした従来の床下収納庫では、鍔状係止部の一部が床表面に露出し、床表面との間に僅かな段差が形成されて、踏んだ際の感触が悪かったり、躓いたりする恐れがある。あるいは、このような段差を生じさせないために、フローリング表面の加工が必要になる。これに対して、本実施形態に係る床下収納ユニットＢによれば、扉枠１０Ａを構成する固定枠材１１Ａを、前記第１実施形態と同様、大引５の開口側内側面５ａに固着させて、固定枠材１１Ａ及び係合枠材１５Ａのそれぞれの上端面１１ａ及び上端面１５ａが、開口部４の開口上端縁４ｃよりも下方位置となるように取付けられるので、扉枠１０Ａが床１Ａの表面側に露出することがなく、意匠性にも優れたものとなる。
【００３６】
尚、フローリングパネル３Ａと床板２とで床１Ａを構成する態様に換えて、表面が化粧処理のなされた床板２のみで床１Ａを構成するようにしてもよい。この場合は、適宜、各枠材１１Ａ，１５Ａの開口部４への取付位置を調整して、扉体２０Ａが閉状態とされた際に、その扉体２０Ａの上面と、床１Ａの表面とが略面一となるようにすることが好ましい。
また、本実施形態に係る床下収納ユニットＢを、開口部４に取付ける際には、扉枠１０Ａを取付けた後に、収納箱体４１を前記したように係止させ、次いで、連結部３０、扉体２０Ａを取付けるようにしてもよい。
さらに、収納箱体４１の上端鍔部４２の各係止部１３，１７へのかかり代は、収納箱体４１の強度、及び収納空間ＳＳ２の容量等に応じて、適宜、設計することが好ましい。
さらにまた、上端鍔部４２の外周縁部裏面に、凸条を形成し、前記各係止部１３，１７の上面に、その凸条に係合する凹溝を形成して、収納箱体４１を係止させるようにしてもよい。あるいは、上端鍔部４２をネジや釘、接着剤等で、各係止部１３，１７へ固着させる構成としてもよい。
また、前記第１実施形態で説明した畳敷きの床１に開設された開口部４へ、本実施形態に係る床下収納ユニットＢを取付ける構成としてもよい。この場合は、扉体２０Ａを、畳３と扉板２１とで構成するようにすればよい。
【００３７】
次に、本発明に係る更に他の実施の形態について、図８に基づいて説明する。
図８（ａ）は、第３実施形態に係る床下収納ユニットが床に取付けられた状態を示す概略断面図である。
尚、第１実施形態との相違点を中心に説明し、第１実施形態と同様の構成については、同一符号を付し、説明を省略する。
【００３８】
本実施形態に係る床下収納ユニットＣは、主に、扉体２０Ｂの構成が前記第１実施形態で説明した扉体２０と異なる。
すなわち、扉体２０Ｂを構成する扉板２１Ａは、その外周が、畳３の外周と略同大に形成されている。また、扉枠１０を構成する各枠材１１，１５は、扉板２１Ａの厚み分、前記第１実施形態で説明した扉枠１０よりも下方位置に取付けられている。すなわち、前記第１実施形態では、各枠材１１，１５の上端面１１ａ，１５ａが床板２の表面と同高さとなるようにして各枠材１１，１５の取付けがなされている。これに対して、本実施形態では、各枠材１１，１５の上端面１１ａ，１５ａが床板２の表面から扉板２１Ａの厚み分、下方位置となるようにして各枠材１１，１５の取付けがなされている。
すなわち、扉体２０Ｂが閉状態とされた際には、扉板２１Ａの外周部下面が各枠材１１，１５の上端面１１ａ，１５ａに当接し、床板２に敷設された他の畳３と、扉体２０Ｂを構成する畳３との表面が略面一となる。
尚、本実施形態で説明した扉板２１Ａを、前記第２実施形態に係る扉板２１に適用してもよい。この場合は、適宜、各枠材１１，１５の取付け位置を調整すればよい。
【００３９】
図８（ｂ）は、第４実施形態に係る床下収納ユニットが床に取付けられた状態を示す概略断面図である。
尚、第１実施形態との相違点を中心に説明し、第１実施形態と同様の構成については、同一符号を付し、説明を省略する。
【００４０】
本実施形態に係る床下収納ユニットＤは、主に、扉枠１０Ｂ及び扉体２０Ｃの構成が前記第１実施形態で説明した扉枠１０及び扉体２０と異なる。
すなわち、扉枠１０Ｂを構成する固定枠材１１Ｂ、係合枠材１５Ｂのそれぞれは、その下端部に係止部を備えておらず、床下のスペースが収納空間ＳＳ３を構成する。つまり、本実施形態では、土間や天井裏のスペースが直接、収納空間ＳＳ３となる。これにより、簡易な構成かつ安価な床下収納ユニットＤとなる。
【００４１】
また、各枠材１１Ｂ，１５Ｂの上端部には、後記する扉板２１Ｂの外周部を受入れるための段部１１ｃ，１５ｃが形成されている。これら段部１１ｃ，１５ｃは、扉板２１Ｂの厚み分、各枠材１１Ｂ，１５Ｂの上端面１１ａ，１５ａから段落ちして形成されている。
また、本実施形態では、扉体２０Ｃを構成する扉板２１Ｂは、前記段部１１ｃ，１５ｃの幅分だけ各枠材１１Ｂ，１５Ｂが係合して形成される略四角筒状体の内側面の内周（段部１１ｃ，１５ｃの形成されていない部位の内周を指す。）よりも大となるように形成されている。すなわち、扉体２０Ｃが閉状態とされた際には、扉板２１Ｂの外周部が前記段部１１ｃ，１５ｃに受入れられて当接し、その扉板２１Ｂの外周に露出する畳３の下面が、前記段部１１ｃ，１５ｃの形成されていない各枠材１１Ｂ，１５Ｂのそれぞれ上端面１１ａ，１５ａに当接して、床板２に敷設された他の畳３と、扉体２０を構成する畳３との表面が略面一となる。
【００４２】
尚、本実施形態で説明した床下収納ユニットＤの各枠材１１Ｂ，１５Ｂの下端部に、前記第１実施形態及び第２実施形態で説明した各係止部１３，１７を設け、底板４０あるいは収納箱体４１を係止させる構成としてもよい。
また、本実施形態の各枠材１１Ｂ，１５Ｂのそれぞれの高さは、前記第１実施形態乃至第３実施形態の各枠材と同様、略同高さとしているが、異なる高さとしてもよい。特に、本実施形態では、前記第１実施形態乃至第３実施形態のように、下端部に係止部を形成して底板や収納箱体を係止する構成としていないため、互いに係合して取付けられた状態で、各枠材１１Ｂ，１５Ｂの上端面１１ａ，１５ａが、少なくとも略面一となるようにすればよく、例えば、係合枠材１５Ｂの高さを、固定枠材１１Ｂよりも低いものとしてもよい。
例えば、係合枠材１５Ｂを、その長手方向の全長に亙って、固定枠材１１Ｂの係合段部を構成する肩部１４に係合するだけの高さとしてもよい。換言すれば、耳部１８のみが長手方向の全長に亙って形成されたような高さを指す。
【図面の簡単な説明】
【００４３】
【図１】本発明に係る床下収納ユニットの実施形態の一例が床に取付けられた状態を示す概略斜視図である。
【図２】同実施形態に係る床下収納ユニットの一部分解概略斜視図である。
【図３】同実施形態に係る床下収納ユニットの一部分解概略平面図である。
【図４】同実施形態に係る床下収納ユニットの取付構造を説明するための床に開設された開口部の概略斜視図である。
【図５】同実施形態に係る床下収納ユニットが床に取付けられた状態を示す概略断面図である。
【図６】本発明に係る床下収納ユニットの実施形態の他例を示す図２と同様図である。
【図７】同実施形態に係る図５と同様図である。
【図８】（ａ）、（ｂ）は、いずれも本発明に係る床下収納ユニットの実施形態の更に他例を示す図５と同様図である。
【符号の説明】
【００４４】
１，１Ａ      床
２      床板（床）
３      畳（床、扉体）
３Ａ      フローリングパネル（床、扉体）
４      開口部
４ａ      固定枠材用辺（開口部の一方の対向する辺）
４ｂ      係合枠材用辺（開口部の他方の対向する辺）
４ｃ      開口上端縁
５      大引（支持桟）
５ａ      開口側内側面（大引）
１０，１０Ａ，１０Ｂ      扉枠
１１，１１Ａ，１１Ｂ      固定枠材
１１ａ      上端面（固定枠材）
１３      固定枠材側係止部
１４      肩部（固定枠材の係合段部）
１５，１５Ａ，１５Ｂ      係合枠材
１５ａ      上端面（係合枠材）
１７      係合枠材側係止部
１８      耳部（係合枠材の係合段部）
２０，２０Ａ，２０Ｂ，２０Ｃ      扉体
２１，２１Ａ，２１Ｂ      扉板（扉体）
４０      底板
４１      収納箱体
４２      上端鍔部（収納箱体の上端部）
Ａ、Ｂ、Ｃ、Ｄ      床下収納ユニット
ＳＳ１，ＳＳ２，ＳＳ３      収納空間
【図１】
0005094231.tif 000002
【図２】
0005094231.tif 000003
【図３】
0005094231.tif 000004
【図４】
0005094231.tif 000005
【図５】
0005094231.tif 000006
【図６】
0005094231.tif 000007
【図７】
0005094231.tif 000008
【図８】
0005094231.tif 000009